(57)【要約】【課題】加熱圧着により半導体チップの外部接続端子をフィルム基板の配線にボンディングする工程（Ａ）と、半導体チップ及びフィルム基板のボンディング部分の周りを樹脂封止する工程（Ｂ）とを含む半導体装置の製造方法であって、製造効率良く低コストに製造でき、かつ封止樹脂中のボイド発生を抑制できる半導体装置の製造方法を提供する。【解決手段】フィルム基板２０の半導体チップ１０と対向する部分を半導体チップ１０のボンディング側と反対側から吸着した状態で、ボンディング工程（Ａ）を実施し、半導体チップ１０及びフィルム基板２０の温度が降温し、フィルム基板２０の熱膨張がない状態で、樹脂封止工程（Ｂ）を実施する。【選択図】図１
2011210821.tif 000002
【特許請求の範囲】
【請求項１】
加熱圧着により半導体チップの外部接続端子をフィルム基板の配線にボンディングする工程（Ａ）と、
前記半導体チップ及び前記フィルム基板のボンディング部分の周りを樹脂封止する工程（Ｂ）とを含む半導体装置の製造方法であって、
前記フィルム基板の前記半導体チップと対向する部分を前記半導体チップのボンディング側と反対側から吸着した状態で、前記工程（Ａ）を実施し、
前記半導体チップ及び前記フィルム基板の温度が降温し、前記フィルム基板の熱膨張がない状態で、前記工程（Ｂ）を実施する半導体装置の製造方法。
【請求項２】
請求項１に記載の半導体装置の製造方法により製造された半導体装置。
【発明の詳細な説明】
【技術分野】
【０００１】
本発明は、加熱圧着により半導体チップの外部接続端子をフィルム基板の配線にボンディングする工程（Ａ）と、半導体チップ及びフィルム基板のボンディング部分の周りを樹脂封止する工程（Ｂ）とを含む半導体装置の製造方法、及びこの製造方法により製造された半導体装置に関するものである。
【背景技術】
【０００２】
ＣＯＦ（Chip on Film）実装は、フレキシブル性に富んだフィルム基板上に半導体チップ（ＩＣチップ）を実装可能なため、液晶パネルのドライバＩＣ等の用途に用いられている。
図４（Ａ）、（Ｂ）を参照して、従来のＣＯＦ実装による半導体装置の製造方法について説明する。図４（Ａ）は、半導体チップをフィルム基板にボンディングする工程を示す断面図、図４（Ｂ）は吸着ステージの平面図である。
【０００３】
図４（Ａ）に示すボンディング装置１０２は、ボンディングする半導体チップ１１０より外側の領域に吸着機構１３１を有し、フィルム基板１２０を吸着保持する吸着ステージ１３０と、フィルム基板１２０上に載置された半導体チップ１１０を加圧するボンディングツール１４０とを備えている。
吸着機構１３１は、吸着ステージ１３０の高さ方向に延びて開孔され、減圧ポンプに接続された複数の吸引孔１３１Ｘと、複数の吸引孔１３１Ｘの上に吸引孔１３１Ｘの径より大きく、すべての吸引孔１３１Ｘに跨って形成された１個の吸着穴１３１Ｙとから構成されている。図４（Ｂ）に示すように、複数の吸引孔１３１Ｘ及び１個の吸着穴１３１Ｙからなる吸着機構１３１は平面視環状に配置されている。
【０００４】
はじめに、ボンディング装置１０２を用い、吸着ステージ１３０にフィルム基板１２０を吸着保持させた状態で、加熱圧着により半導体チップ１１０上のバンプ（外部接続端子）１１１をフィルム基板１２０上のリード（配線）１２１にボンディングする。
視認しやすくするため、フィルム基板１２０と吸着ステージ１３０との間を若干離して図示しているが、実際はこれらの間に隙間は形成されない。
ボンディングした半導体チップ１１０とフィルム基板１２０とを上記装置から取り外し、室温近くに戻した後、半導体チップ１１０の固定とパシベーションのために半導体チップ１１０とフィルム基板１２０とのボンディング部分の周りに熱硬化性樹脂を注入し、熱処理により樹脂を硬化するアンダーフィル樹脂封止という処理を実施する。
【０００５】
ＣＯＦ実装では半導体チップとフィルム基板との距離が１０数μｍ程度と近いため、加熱圧着により半導体チップ上のバンプをフィルム上のリードにボンディングする際に、半導体チップより熱膨張係数が大きいフィルム基板が熱膨張し、図４（Ａ）に示すように、フィルム基板の半導体チップと対向する部分が半導体チップ側に撓み、半導体チップとフィルム基板とが部分的に接着する場合もある。
【０００６】
アンダーフィル樹脂の粘度は半導体チップとフィルム基板間の隙間で毛細管現象が起きる最適値になるように設計されているため、この隙間が部分的に広すぎたり狭すぎたりすると、樹脂封止の際に樹脂が隙間に充分に入り込まず、樹脂中に気泡が残るボイドという現象が発生する恐れがある。
【０００７】
特許文献１には、上記ボイドの発生を防ぐことを目的として、
フィルム基板の半導体チップと対向する部分を吸着する吸引孔を有する吸着ステージを用い、フィルム基板の半導体チップと対向する部分を外側から吸着して半導体チップとフィルム基板との隙間が大きくなる様にフィルム基板を撓ませた状態で、半導体チップとフィルム基板とをボンディングし（図１（ａ））、
上記状態のまま、封止樹脂（アンダーフィル樹脂）を注入し（図１（ｂ））、
押し出しツールを用いて撓ませたフィルム基板を外側から押して、余分な封止樹脂を半導体チップの側面から押し出す（図１（ｃ））方法が提案されている。
【先行技術文献】
【特許文献】
【０００８】
【特許文献１】特開２００４−２２１３１９号公報
【発明の概要】
【発明が解決しようとする課題】
【０００９】
しかしながら、特許文献１に記載の方法では、下記の問題点がある。
第１に、特許文献１に記載の方法では、フィルム基板を撓ませたまま封止樹脂を注入するため（図１（ｂ））、封止樹脂を注入する際にも、フィルム基板の半導体チップと対向する部分の外側から吸着を続ける必要がある。そのため、半導体チップとフィルム基板とをボンディング装置にセットしたままの状態で封止樹脂を行う必要がある。
【００１０】
さらに、通常封止樹脂は熱硬化性のため、ボンディングの際に上昇した半導体チップとフィルム基板の温度を必要な温度まで下げた後に樹脂封止を行う必要がある。このため、特許文献１に記載の方法では、半導体チップとフィルム基板の熱を逃がす間、吸着ステージをそのまま使用し、封止樹脂の硬化のためにボンディング装置を加熱し、封止樹脂の硬化終了後、次のボンディング用にボンディング装置をボンディング用の温度に加熱する必要がある。すなわち、特許文献１に記載の方法では、ボンディング装置の昇温・降温を繰り返す必要があり、そのたびに所定の温度になるまで待たなければならない。
【００１１】
半導体チップとフィルム基板との１０数μｍ程度の隙間への樹脂封止は、そのギャップに最適化した粘度の樹脂を使用しても、数秒〜１０秒以上の時間がかかり、これまでも、実装工程全体の中で、樹脂封止工程は非常に時間がかかるものとなっている。それを、半導体チップとフィルム基板とをボンディング装置にセットしたまま、温度が下がるのを待ってから実施しなければならないのは、非効率的である。
以上の理由から特許文献１の方法では、装置の稼働率が悪く、高価な吸着ステージを多く用意する必要があり、製造効率・エネルギー効率が悪く、製造コストが高い。
【００１２】
第２に、特許文献１に記載の方法では、封止樹脂注入後に樹脂を押し出す工程が必須であり（図１（ｃ））、工程数が多いため製造効率が悪く、製造コストが増加する。
【００１３】
第３に、封止樹脂の粘度は半導体チップとフィルム基板間の隙間で毛細管現象が起きる最適値になるように設計されているため、この隙間が部分的に広すぎると、逆にボイドを発生させる原因になる。したがって、フィルム基板を撓ませたまま封止樹脂を注入する特許文献１の方法では、設計通りに樹脂注入を行うことができず、ボイドが発生しやすい。そして、下から樹脂を押し上げた際にも、半導体チップの中央付近にあるボイドは逃げることなくその場に残る可能性が高い。そのため、歩留まりが悪く、製造コストが増加する。
【課題を解決するための手段】
【００１４】
本発明の半導体装置の製造方法は、
加熱圧着により半導体チップの外部接続端子をフィルム基板の配線にボンディングする工程（Ａ）と、
前記半導体チップ及び前記フィルム基板のボンディング部分の周りを樹脂封止する工程（Ｂ）とを含む半導体装置の製造方法であって、
前記フィルム基板の前記半導体チップと対向する部分を前記半導体チップのボンディング側と反対側から吸着した状態で、前記工程（Ａ）を実施し、
前記半導体チップ及び前記フィルム基板の温度が降温し、前記フィルム基板の熱膨張がない状態で、前記工程（Ｂ）を実施するものである。
本発明の半導体装置は、上記の本発明の半導体装置の製造方法により製造されたものである。
【００１５】
本発明では、フィルム基板の半導体チップと対向する部分を半導体チップのボンディング側と反対側から吸着した状態で、ボンディング工程（Ａ）を実施するので、この工程において、半導体チップとフィルム基板との間隙が狭くなってこれらが接着する恐れなく、良好にボンディングを実施できる。そのため、次の樹脂封止工程（Ｂ）において、設計通りの樹脂封止を実施でき、封止樹脂中のボイドの発生を抑制できる。
本発明では、フィルム基板が降温し熱膨張がなくなった状態で樹脂封止工程（Ｂ）を実施するので、ボンディング工程（Ａ）後もフィルム基板の吸着を続ける必要がなく、ボンディング工程（Ａ）終了後に、半導体チップ及びフィルム基板をボンディング装置から取り外し、次の工程に進めることができるので、製造効率・エネルギー効率が良く、低コストに製造可能である。
【発明の効果】
【００１６】
本発明によれば、加熱圧着により半導体チップの外部接続端子をフィルム基板の配線にボンディングする工程（Ａ）と、半導体チップ及びフィルム基板のボンディング部分の周りを樹脂封止する工程（Ｂ）とを含む半導体装置の製造方法であって、製造効率良く低コストに製造でき、かつ封止樹脂中のボイド発生を抑制できる半導体装置の製造方法を提供することができる。
【図面の簡単な説明】
【００１７】
【図１】（Ａ）〜（Ｅ）は本発明に係る一実施形態の半導体装置の製造方法の工程図である。
【図２】本発明に係る一実施形態の半導体装置の製造方法で用いる吸着ステージの平面図である。
【図３】（Ａ）、（Ｂ）は半導体装置の製造方法の変更例を示す図である。
【図４】（Ａ）、（Ｂ）は従来の半導体装置の製造方法を示す図である。
【発明を実施するための形態】
【００１８】
図面を参照して、本発明に係る一実施形態の半導体装置の製造方法について説明する。図１（Ａ）〜（Ｅ）は工程図、図２は吸着ステージの平面図である。図１（Ａ）〜（Ｅ）は図２のＡ−Ａ断面に対応する断面図である。図面上は視認しやすくするため、各部材の縮尺等は適宜、実際のものとは異ならせてある。また、断面図において、ハッチングは適宜省略してある。
本実施形態では、ＣＯＦ（Chip on Film）実装による半導体装置１の製造を例として説明する。
【００１９】
図１（Ａ）〜図１（Ｅ）に示すように、
本実施形態の半導体装置１の製造方法は、
加熱圧着により半導体チップ（ＩＣチップ）１０のバンプ（外部接続端子）１１をフィルム基板２０のリード（配線）２１にボンディングする工程（Ａ）と、
半導体チップ１０及びフィルム基板２０のボンディング部分の周りを封止樹脂（アンダーフィル樹脂）５０にて樹脂封止する工程（Ｂ）とを有する。
【００２０】
＜工程（Ａ）＞
本実施形態では、図１（Ａ）に示すように、フィルム基板２０を吸着保持する吸着ステージ３０と、フィルム基板２０上に載置された半導体チップ１０を加圧するボンディングツール４０とを備えたボンディング装置２を用いて、工程（Ａ）を実施する。
視認しやすくするため、フィルム基板２０と吸着ステージ３０との間を若干離して図示しているが、実際はこれらの間に隙間は形成されない。
【００２１】
図１（Ａ）及び図２に示すように、吸着ステージ３０には、ボンディングする半導体チップ１０より外側の領域に、フィルム基板２０を吸着保持する第１の吸着機構３１が設けられており、ボンディングする半導体チップ１０と対向する領域に、フィルム基板２０を吸着保持する第２の吸着機構３２が設けられている。
【００２２】
第１の吸着機構３１は、吸着ステージ３０の高さ方向に延びて開孔され、減圧ポンプ（図示せず）に接続された複数の第１の吸引孔３１Ｘと、複数の第１の吸引孔３１Ｘの上に第１の吸引孔３１Ｘの径より大きく、すべての第１の吸引孔３１Ｘに跨って形成された１個の第１の吸着穴３１Ｙとから構成されている。図２に示すように、複数の第１の吸引孔３１Ｘ及び１個の第１の吸着穴３１Ｙとからなる第１の吸着機構３１は、平面視環状に配置されている。
【００２３】
第２の吸着機構３２は、吸着ステージ３０の高さ方向に延びて開孔され、減圧ポンプ（図示せず）に接続された複数の第２の吸引孔３２Ｘと、複数の第２の吸引孔３２Ｘの上に第２の吸引孔３２Ｘの径より大きく、すべての第２の吸引孔３２Ｘに跨って形成された１個の第２の吸着穴３２Ｙとから構成されている。図２に示すように、複数の第２の吸引孔３２Ｘ及び１個の第２の吸着穴３２Ｙとからなる第２の吸着機構３２は、吸着ステージ３０の中央部に平面視直線状に配置されている。
本実施形態では、第１の吸引孔３１Ｘの径＝第２の吸引孔３２Ｘの径、第２の吸着穴３２Ｙの径＞第１の吸着穴３１Ｙの径である。第２の吸着穴３２Ｙの径は、半導体チップ１０のバンプ１１のピッチよりは小さく設計されている。
【００２４】
ボンディング装置２内は、ボンディングに必要な温度（通常、３８０〜４２０℃程度  ）に加熱設定される。
本実施形態では、上記吸着機構３１、３２を有するボンディング装置２を用いて、フィルム基板２０の外周部分と半導体チップ１０と対向する部分とを半導体チップ１０のボンディング側と反対側から吸着する。
上記状態で、半導体チップ１０をフィルム基板２０上に載置する。このとき、半導体チップ１０のバンプ１１がフィルム基板２０のリード２１上に位置するよう、半導体チップ１０をフィルム基板２０上に載置する。
上記状態で、ボンディングツール４０により半導体チップ１０をフィルム基板２０側に加圧することで、半導体チップ１０のバンプ１１をフィルム基板２０のリード２１に加熱圧着して、これらをボンディングする。
【００２５】
ボンディング工程（Ａ）においては、ボンディング時の熱によりフィルム基板２０が熱膨張するが、膨張により緩んだ部分は第２の吸着機構３２に引っ張られるので、半導体チップ１０側には向かわない。本実施形態では、第２の吸着穴３２Ｙの径＞第１の吸着穴３１Ｙの径としているので、フィルム基板２０の半導体チップ１０と対向する部分が第２の吸着穴３２Ｙ側に引っ張られて撓む。かかる作用により、半導体チップ１０とフィルム基板２０との間隙が狭くなってこれらが接着する恐れなく、良好にボンディングを実施できる。
【００２６】
＜工程（Ｂ）＞
本実施形態では、半導体チップ１０及びフィルム基板２０の温度が降温し、フィルム基板２０の熱膨張がない状態で、工程（Ｂ）を実施する。
【００２７】
半導体チップ１０及びフィルム基板２０の降温を待つ間、半導体チップ１０及びフィルム基板２０の載置箇所は制限されない。
図２（Ｂ）に示すように、ボンディング終了後の半導体チップ１０及びフィルム基板２０をボンディング装置２から取り外し、樹脂封止装置３のステージ５１に載置し、半導体チップ１０及びフィルム基板２０の温度が降温するまで待つことが、製造効率が良く好適である。
半導体チップ１０及びフィルム基板２０の温度は、フィルム基板２０の熱膨張がない状態となるまで降温すればよく、常温あるいはそれに近い温度、具体的には２０〜５０℃程度に降温することが好ましい。
半導体チップ１０及びフィルム基板２０の降温は、自然降温で充分である。
本明細書において、「フィルム基板２０の熱膨張がない状態」とは、工程（Ｂ）を良好に実施できる程度に、フィルム基板２０と半導体チップ１０との間に充分な隙間が存在している状態を指す。
【００２８】
フィルム基板２０の熱膨張・撓みがなくなった状態で、図２（Ｄ）に示すように、樹脂封止装置３の注入ノズル５２から、半導体チップ１０及びフィルム基板２０のボンディング部分の周りを封止樹脂（アンダーフィル樹脂）５０にて樹脂封止する。封止樹脂５０は、半導体チップ１０とフィルム基板２０の間隔に最適な毛細管現象を起こすように粘度が調整されている。
【００２９】
封止樹脂５０としては制限されず、通常は熱硬化性樹脂が使用される。この場合、封止樹脂５０の注入後、硬化温度に加熱して封止樹脂５０を硬化させる。本実施形態では、工程（Ａ）において、半導体チップ１０とフィルム基板２０との間隙が狭くなってこれらが接着する恐れがないので、設計通りの樹脂封止を実施でき、ボイドの発生が抑制される。
以上のようにして、図２（Ｅ）に示す半導体装置１が製造される。
【００３０】
本実施形態では、フィルム基板２０の半導体チップ１０と対向する部分を半導体チップ１０のボンディング側と反対側から吸着した状態でボンディング工程（Ａ）を実施するので、この工程において、半導体チップ１０とフィルム基板２０との間隙が狭くなってこれらが接着する恐れなく、良好にボンディングを実施できる。そのため、次の樹脂封止工程（Ｂ）において、設計通りの樹脂封止を実施でき、封止樹脂５０中のボイドの発生を抑制できる。
【００３１】
本実施形態では、フィルム基板２０が降温し熱膨張がなくなった状態で、樹脂封止工程（Ｂ）を実施するので、ボンディング工程（Ａ）後もフィルム基板２０の吸着を続ける必要がなく、ボンディング工程（Ａ）終了後に、半導体チップ１０及びフィルム基板２０をボンディング装置２から取り外し、次の工程に進めることができるので、製造効率・エネルギー効率が良く、低コストに製造可能である。
【００３２】
本実施形態によれば、製造効率良く低コストに製造でき、かつ封止樹脂５０中のボイド発生を抑制できる半導体装置１の製造方法を提供することができる。
【００３３】
「変更例」
上記実施形態では、第２の吸着穴３２Ｙの径＞第１の吸着穴３１Ｙの径としたが、第２の吸着穴３２Ｙの径≦第１の吸着穴３１Ｙの径としても構わない。第２の吸着穴３２Ｙを設けず、第２の吸着機構３２を複数の第２の吸着孔３２Ｘのみにより構成してもよい。
図３（Ａ）、（Ｂ）は、第２の吸着機構３２を複数の第２の吸着孔３２Ｘのみにより構成した例である。図３（Ａ）は図１（Ａ）、図３（Ｂ）は図２に対応した図である。
【００３４】
上記変更においても、工程（Ａ）において、ボンディング時の熱によりフィルム基板２０が熱膨張して緩んだ部分は第２の吸着機構３２に引っ張られるので、半導体チップ１０側には向かわず、上記実施形態と同様の効果が得られる。ただし、第２の吸着機構３２の径が小さい場合には、フィルム基板２０の第２の吸着機構３２側への撓みは大きくは起こらない。
第２の吸着機構３２の径を小さくしても、工程（Ａ）において、半導体チップ１０とフィルム基板２０との間隙が狭くなってこれらが接着する恐れなく、良好にボンディングを実施できる。そのため、次の樹脂封止工程（Ｂ）において、設計通りの樹脂封止を実施でき、封止樹脂５０中のボイドの発生を抑制できる。
第２の吸着機構３２の径を小さくすれば、上記実施形態よりもバンプピッチが小さい、小さい半導体チップ１０の実装にも対応できる。
その他、本発明の趣旨を逸脱しない範囲おいて、適宜変更可能である。
【符号の説明】
【００３５】
１  半導体装置
２  ボンディング装置
３  樹脂封止装置
１０  半導体チップ
１１  バンプ（外部接続端子）
２０  フィルム基板
２１  リード（配線）
３０  吸着ステージ
３１  第１の吸着機構
３１Ｘ  吸引孔
３１Ｙ  吸着穴
３２  第２の吸着機構
３２Ｘ  吸引孔
３２Ｙ  吸着穴
４０  ボンディングツール
５０  封止樹脂（アンダーフィル樹脂）
【図１】
2011210821.tif 000003
【図２】
2011210821.tif 000004
【図３】
2011210821.tif 000005
【図４】
2011210821.tif 000006